(57)【要約】【課題】  容器内に別々に収納された二液を片手で容易に混合及び排出させることができる二液混合容器を提供する。【解決手段】  液体収納用容器を、後端部に手の平で支持される支持部1bが設けられており中空に形成された内部の後端側に先細り部1cが設けられている混合容器本体１と、周囲が一部を除いて薄肉となっている隔壁部2aが後端部に設けられており混合容器本体１内に嵌着されて混合容器本体１との間に第１液Ｘを封入した空間を形成している内容器２と、突き出し部3aが後端側に突設されていると共に突き出し部3aに近接して設けられている複数の溝穴3bに連通して内部を貫通した状態で先端の排出口3cに至る排出用貫通穴3dが設けられており内容器２内に嵌入されて内容器２との間に第２液Ｙを封入した空間を形成していて先端側の側部外周に指掛け部3eが突設されているプランジャー３とから構成する。【選択図】        図１
2005104534.tif 000002
【特許請求の範囲】
【請求項１】
先端側に位置する開口部の外側にフランジ部(1a)が設けられており、後端部に手の平で支持される支持部(1b)が設けられており、中空に形成された内部の後端側に先細り部(1c)が設けられている混合容器本体(１)と、
周囲が一部を除いて薄肉となっている隔壁部(2a)が後端部に設けられており、先端側外周に設けられている係止部(2b)が該混合容器本体(１)のフランジ部(1a)に係止された状態で該混合容器本体(１)内に嵌着されて該隔壁部(2a)と該混合容器本体(１)の後端部との間に第１液(Ｘ)を封入した空間を形成している内容器(２)と、
該混合容器本体(１)の後端側の先細り部(1c)に対応する形状を成している突き出し部(3a)が後端側に突設されていると共に該突き出し部(3a)に近接した前部側の側部に設けられている複数の溝穴(3b)に連通して内部を貫通した状態で先端の排出口(3c)に至る排出用貫通穴(3d)が設けられており、該内容器(２)内に嵌入されて該突き出し部(3a)と該内容器(２)との間に第２液(Ｙ)を封入した空間を形成していて先端側の側部外周に指掛け部(3e)が突設されていて、該突き出し部(3a)が該内容器(２)の隔壁部(2a)の薄肉部を破断させた後に更に該混合容器本体(１)の後端側の先細り部(1c)内まで移動する過程で第１液(Ｘ)と第２液(Ｙ)とが混合された混合液(Ｚ)を該溝穴(3b)から該排出用貫通穴(3d)を経由して先端の排出口(3c)へと導くためのプランジャー(３)とから構成されていることを特徴とする二液混合容器。
【請求項２】
内容器(２)の隔壁部(2a)の薄肉部を突き出し部(3a)で破断させ且つその溝穴(3b)が該内容器(２)の内壁で閉鎖された状態を維持しているプランジャー(３)の位置を一時的に保持させるために、該プランジャー(３)の外表面に該内容器(２)の内壁の両端部に係止されるリング状の凸部(3f)が設けられている請求項１に記載の二液混合容器。
【請求項３】
プランジャー(３)の排出口(3c)に排出液体供給体(４)が更に装着されている請求項１又は２に記載の二液混合容器。
【請求項４】
排出液体供給体(４)が綿球(4a)である請求項３に記載の二液混合容器。
【請求項５】
排出液体供給体(４)が先端に排出孔(4ba)が設けられたヘラ(4b)である請求項３に記載の二液混合容器。
【請求項６】
排出液体供給体(４)がプランジャー(３)内の排出用貫通穴(3d)にその一部が挿入されているパイプ(4c)である請求項３に記載の二液混合容器。
【発明の詳細な説明】
【技術分野】
【０００１】
本発明は、容器内に別々に収納された二液を片手で容易に混合及び排出させることができる二液混合容器に関するものである。
【背景技術】
【０００２】
歯科用のプライマー等では、別々に収納された二液を使用直前に混合させてから使用される二液混合型のものがしばしば利用される。このような液を収納する従来の二液混合容器では、隔てられていた二液を充分に混合させてから排出させる必要があるから、複雑な構造でまた二液を混合させてから排出させるのに特別の治具を必要とするものが多いため、小型の容器を使って片手で簡単に混合及び排出させることは困難であった。
【０００３】
このような問題に対して、比較的構造が簡単で２種類の材料を簡単に混合させて排出させることができる混練装置としては、流動性のある２種類の材料を別々に収容する第１収容部及び第２収容部を有する容器本体と、その容器本体の一端側に接続された混練筒とを備え、押し出し手段によって容器本体内の材料をその一端側へ押し出して前記混練筒内に圧入し、混練筒内を通過させることにより混練するための押し出し式混練装置がある（例えば、特許文献１参照。）。しかしながらこの混練装置では、流動性のある２種類の材料を排出させるための押し出し手段を別途取り付ける必要があるので実際に使用するためには大型の装置となり、また密閉性が低いため粘性の低い液体を取り扱うことが困難であり、更に２種類の材料の比率を簡単に変えることができないため用途が限られるという問題がある。
【０００４】
また、構造が簡単で小型が容易な容器としては、摺動可能な隔壁によって分割されそれぞれに別個の薬剤が分離収納されたＡ，Ｂ二室より構成されていて、薬剤の使用に際しては、容器外部より加えられた圧力によってＡＢ間の隔壁を摺動的に移動して両室間の封止を解除した状態で二液（又は液，固）を混合（又は溶解）し、混合液をその容器のまま先端に設けた孔から滴下させて使用する構造を有する隔離収納及び混合使用兼用容器がある（例えば、特許文献２参照。）。しかしながらこの隔離収納及び混合使用兼用容器は、ＡＢ間の隔壁を摺動的に移動して両室間の封止を解除するだけであってプランジャー等で一方の室内の液を他方の液が収納されている室内のへ強制的に押し入れるような構造を有していないから二液が良好に混ざり難い上に、二液が最も良く混ざり合う隔壁近傍から排出させるのではなく、隔壁から離れた容器の先端に設けられた孔から排出されるため、排出開始直後に充分に混合されていない液が排出される等の問題がある。
【０００５】
【特許文献１】特開２０００−３１７２８７号公報
【特許文献２】特開平７−９６９７８号公報（第２図）
【発明の開示】
【発明が解決しようとする課題】
【０００６】
本発明は前記の問題に鑑み、容器内に別々に収納された二液を片手で容易に混合及び排出させることができる二液混合容器を提供することを課題とする。
【課題を解決するための手段】
【０００７】
本発明者等は前記課題を解決すべく鋭意検討を重ねた結果、二液混合容器を、先端側に位置する開口部の外側にフランジ部が設けられており、後端部に手の平で支持される支持部が設けられており、中空に形成された内部の後端側に先細り部が設けられている混合容器本体と、周囲が一部を除いて薄肉となっている隔壁部が後端部に設けられており、先端側外周に設けられている係止部が該混合容器本体のフランジ部に係止された状態で該混合容器本体内に嵌着されて該隔壁部と該混合容器本体の後端部との間に第１液を封入した空間を形成している内容器と、該混合容器本体の後端側の先細り部に対応する形状を成している突き出し部が後端側に突設されていると共に該突き出し部に近接した前部側の側部に設けられている複数の溝穴に連通して内部を貫通した状態で先端の排出口に至る排出用貫通穴が設けられており、該内容器内に嵌入されて該突き出し部と該内容器との間に第２液を封入した空間を形成していて先端側の側部外周に指掛け部が突設されていて、該突き出し部が該内容器の隔壁部の薄肉部を破断させた後に更に該混合容器本体の後端側の先細り部内まで移動する過程で第１液と第２液とが混合された混合液を該溝穴から該排出用貫通穴を経由して先端の排出口へと導くためのプランジャーとから構成させれば、混合容器本体の後端部に設けられた支持部を手の平に載せプランジャーの先端側の側部外周に設けられた指掛け部に指を掛ければ片手で容易に保持することができ、またその状態からプランジャーを押し込めばプランジャーの後端側に突設されている突き出し部によって内容器の隔壁部を破断させ容易に二液を混ぜることができ、更にプランジャーの位置を保持した状態で片手で二液混合容器を振るだけで二液を充分に混合させることができ、またその際にプランジャーの溝穴が内容器の内壁で閉鎖された状態となっているから混合されていない第１液や第２液がプランジャーの溝穴に流入することがないので排出開始時から充分に混合させた混合液を排出させることができ、更にプランジャーの後端側に突設されている突き出し部を混合容器本体の後端側の先細り部内まで押し込んでいくことによって容器内の混合液を無駄なく排出させることができることを究明して本発明を完成したのである。
【０００８】
即ち本発明は、先端側に位置する開口部の外側にフランジ部が設けられており、後端部に手の平で支持される支持部が設けられており、中空に形成された内部の後端側に先細り部が設けられている混合容器本体と、
周囲が一部を除いて薄肉となっている隔壁部が後端部に設けられており、先端側外周に設けられている係止部が該混合容器本体のフランジ部に係止された状態で該混合容器本体内に嵌着されて該隔壁部と該混合容器本体の後端部との間に第１液を封入した空間を形成している内容器と、
該混合容器本体の後端側の先細り部に対応する形状を成している突き出し部が後端側に突設されていると共に該突き出し部に近接した前部側の側部に設けられている複数の溝穴に連通して内部を貫通した状態で先端の排出口に至る排出用貫通穴が設けられており、該内容器内に嵌入されて該突き出し部と該内容器との間に第２液を封入した空間を形成していて先端側の側部外周に指掛け部が突設されていて、該突き出し部が該内容器の隔壁部の薄肉部を破断させた後に更に該混合容器本体の後端側の先細り部内まで移動する過程で第１液と第２液とが混合された混合液を該溝穴から該排出用貫通穴を経由して先端の排出口へと導くためのプランジャーとから構成されていることを特徴とする二液混合容器である。
【０００９】
また、内容器の隔壁部の薄肉部を突き出し部で破断させ且つその溝穴が該内容器の内壁で閉鎖された状態を維持しているプランジャーの位置を一時的に保持させるために該プランジャーの外表面に該内容器の内壁の両端部に係止されるリング状の凸部が設けられていると、二液混合容器を振って二液を充分に混合させる際にプランジャーの位置を容易に保持することができて好ましく、プランジャーの排出口に排出液体供給体が更に装着されていると、混合された液体を容易に所望の部位に供給や塗布することができて好ましく、更にこの排出液体供給体が綿球や先端に排出孔が設けられたヘラであると、混合された液体を容易に所望の部位に塗布し易くて好ましく、また排出液体供給体がプランジャー内の排出用貫通穴にその一部が挿入されているパイプであると、折れ曲がったパイプや先の長いパイプを使用することによって手の届かない所などにも容易に混合された液体を供給や塗布することができて好ましいことも究明したのである。
【発明の効果】
【００１０】
本発明に係る二液混合容器は、先端側に位置する開口部の外側にフランジ部が設けられており、後端部に手の平で支持される支持部が設けられており、中空に形成された内部の後端側に先細り部が設けられている混合容器本体と、周囲が一部を除いて薄肉となっている隔壁部が後端部に設けられており、先端側外周に設けられている係止部が混合容器本体のフランジ部に係止された状態で混合容器本体内に嵌着されて隔壁部と混合容器本体の後端部との間に第１液を封入した空間を形成している内容器と、混合容器本体の後端側の先細り部に対応する形状を成している突き出し部が後端側に突設されていると共に突き出し部に近接した前部側の側部に設けられている複数の溝穴に連通して内部を貫通した状態で先端の排出口に至る排出用貫通穴が設けられており、内容器内に嵌入されて突き出し部と内容器との間に第２液を封入した空間を形成していて先端側の側部外周に指掛け部が突設されていて、突き出し部が内容器の隔壁部の薄肉部を破断させた後に更に混合容器本体の後端側の先細り部内まで移動する過程で第１液と第２液とが混合された混合液を溝穴から排出用貫通穴を経由して先端の排出口へと導くためのプランジャーとから構成させれているから、混合容器本体の後端部に設けられた支持部を手の平に載せプランジャーの先端側の側部外周に設けられた指掛け部に指を掛ければ片手で容易に保持することができ、更にその状態からプランジャーを押し込めばプランジャーの後端側に突設されている突き出し部によって内容器の隔壁部を破断させ容易に二液を混ぜることができ、またその際、隔壁部は周囲が一部を除いて薄肉となっているから隔壁部の一部が内容器に繋がった状態で隔壁部は捲れ上がるようにして破断されるから隔壁部やその破片が二液に混ざって二液の混合液の品質が低下したりプランジャーの動きが悪くなったりプランジャーに設けられた溝穴や排出用貫通穴等が目詰まりすることもないのである。更に内容器の隔壁部の薄肉部を突き出し部で破断させ且つその溝穴が内容器の内壁で閉鎖された状態を維持しているプランジャーの位置を保持した状態で片手で二液混合容器を振るだけで二液を充分に混合させることができ、またその際にプランジャーの溝穴が内容器の内壁で閉鎖された状態となっているから混合されていない第１液や第２液がプランジャーの溝穴に流入することがないので排出開始時から充分に混合させた混合液を排出させることができ、更にプランジャーの後端側に突設されている突き出し部を混合容器本体の後端側の先細り部内まで押し込んでいくことによって容器内の混合液を無駄なく排出させることができるのである。
【００１１】
また、内容器の隔壁部の薄肉部を突き出し部で破断させ且つその溝穴が内容器の内壁で閉鎖された状態を維持しているプランジャーの位置を一時的に保持させるためにプランジャーの外表面に内容器の内壁の両端部に係止されるリング状の凸部が設けられていると、二液混合容器を振って二液を充分に混合させる際にプランジャーの位置を容易に保持することができ、プランジャーの排出口に排出液体供給体が更に装着されていると、混合された液体を容易に所望の部位に供給や塗布することができ、更にこの排出液体供給体が綿球や先端に排出孔が設けられたヘラであると塗布し易く、また排出液体供給体がプランジャー内の排出用貫通穴にその一部が挿入されているパイプであると、折れ曲がったパイプや先の長いパイプを使用することによって手の届かない所などにも容易に供給や塗布することができるのである。
【発明を実施するための最良の形態】
【００１２】
以下、図面を用いて本発明に係る二液混合容器について詳細に説明する。
図１は本発明に係る二液混合容器の１実施例の縦断面説明図、図２は図１における二液混合容器を片手で保持した状態を示す正面説明図、図３は図１におけるプランジャーの側面説明図、図４は図３におけるＡ−Ａ線断面説明図、図５は図１における状態からプランジャーを押し込んで内容器の隔壁部を破断させ二液を充分に混合させた状態を示す縦断面説明図、図６は図５における状態からプランジャーを更に押し込んで混合液を溝穴に流入させた状態を示す縦断面説明図、図７は図６における状態からプランジャーの突き出し部が混合容器本体の先細り部内に移動するまで押し込んだ状態を示す縦断面説明図、図８はプランジャーの他の態様を示す部分断面説明図、図９は図８におけるプランジャーを装着した本発明に係る二液混合容器の他の実施例の縦断面説明図、図１０はプランジャーの更に他の態様を示す縦断面説明図である。
【００１３】
図面中、１は先端側に位置する開口部の外側にフランジ部1aが設けられており、後端部に手の平で支持される支持部1bが設けられており、中空に形成された内部の後端側に先細り部1cが設けられている混合容器本体である。なお支持部1bの形状は図１に示すような凹面円板状に限らず、凸面円板状や平面円板状であってもよい。
【００１４】
２は周囲が一部を除いて薄肉となっている隔壁部2aが後端部に設けられており先端側外周に設けられている係止部2bが混合容器本体１のフランジ部1aに係止された状態で混合容器本体１内に嵌着されて隔壁部2aと混合容器本体１の後端部との間に第１液Ｘを封入した空間を形成している内容器である。
【００１５】
３は混合容器本体１の後端側の先細り部1cに対応する形状を成している突き出し部3aが後端側に突設されていると共に突き出し部3aに近接した前部側の側部に設けられている複数の溝穴3bに連通して内部を貫通した状態で先端の排出口3cに至る排出用貫通穴3dが設けられており、内容器２内に嵌入されて突き出し部3aと内容器２との間に第２液Ｙを封入した空間を形成していて先端側の側部外周に指掛け部3eが突設されていて、突き出し部3aが内容器２の隔壁部2aの薄肉部を破断させた後に更に混合容器本体１の後端側の先細り部1c内まで移動する過程で第１液Ｘと第２液Ｙとが混合された混合液Ｚを溝穴3bから排出用貫通穴3dを経由して先端の排出口3cへと導くためのプランジャーである。また内容器２の隔壁部2aの薄肉部を突き出し部3aで破断させ且つその溝穴3bが内容器２の内壁で閉鎖された状態を維持しているプランジャー３の位置を一時的に保持させるためにプランジャー３の外表面に内容器２の内壁の両端部に係止されるリング状の凸部3fが設けられていると、二液混合容器を振って二液を充分に混合させる際にプランジャー３の位置を容易に保持することができて好ましいのである。
【００１６】
４はプランジャー３の排出口3cに更に装着されている排出液体供給体である。この排出液体供給体４が綿球4aや先端に排出孔4baが設けられたヘラ4bであると混合液Ｚを所望の部位に塗布し易くて好ましく、また排出液体供給体４がプランジャー３内の排出用貫通穴3dにその一部が挿入されているパイプ4cであると、折れ曲がったパイプや先の長いパイプを使用することによって手の届かない所などの所望の部位に混合液Ｚを容易に供給や塗布することができて好ましいのである。
【００１７】
このような構成を有する本発明に係る二液混合容器としては、図１に示すような二液混合容器があり、この二液混合容器では、混合容器本体１の後端部と内容器２との間の空間に第１液Ｘが封入されていると共に、内容器２内に嵌入されて突き出し部3aと内容器２との間の空間に第２液Ｙが封入されていて、プランジャー３が未だ押し込まれていない状態であり、またプランジャー３の先端の排出口3cには排出液体供給体４である綿球4aが装着されている。
【００１８】
この図１に示す二液混合容器は、混合容器本体１の後端部に設けられた凹面円板状の支持部1bを手の平に載せプランジャー３の先端側の側部外周に設けられた指掛け部3eに指を掛ければ図２に示すように片手で容易に保持することができる。
【００１９】
また図１に示す二液混合容器に装着されているプランジャー３は図３の如く突き出し部3aに近接した前部側の側部に複数の溝穴3bが設けられていて、更に図４に示すように複数の溝穴3bに連通して内部を貫通した状態で先端の排出口3cに至る排出用貫通穴3dが設けられており、第１液Ｘと第２液Ｙとが混合された混合液Ｚは溝穴3bから排出用貫通穴3dを経由して先端の排出口3cへと導かれるのである。
【００２０】
この図１に示す二液混合容器を実際に使用するには、先ず図２に示すように片手で保持した状態から、図５に示すように内容器２の隔壁部2aの薄肉部を突き出し部3aで破断させ且つその溝穴3bが内容器２の内壁で閉鎖された状態を維持している位置までプランジャー３を押し込む。その際、隔壁部2aは周囲が一部を除いて薄肉となっているから、プランジャー３の後端側に突設されている突き出し部3aによって隔壁部2aの一部が内容器２に繋がった状態で隔壁部2aは捲れ上がるようにして破断される。そのため隔壁部2aやその破片が二液に混ざって二液の混合液の品質が低下したりプランジャー３の動きが悪くなったりプランジャー３に設けられた溝穴3bや排出用貫通穴3d等が目詰まりすることがないのである。
【００２１】
次にプランジャー３をこの位置で一時的に保持して、第１液Ｘと第２液Ｙとを充分に混合させて混合液Ｚとなるまで二液混合容器全体を片手で振るのである。その際、プランジャー３の溝穴3bは内容器２の内壁で閉鎖された状態を維持しているから、混合されていない第１液Ｘや第２液Ｙがプランジャー３の溝穴3bに流入することがないので、排出開始時から充分に混合させた混合液Ｚが排出されるのである。なお図８に示すプランジャー３のように、外表面にリング状の凸部3fが設けられていると、図９に示すように内容器２の内壁の両端部にリング状の凸部3fを係止させることができるので、二液混合容器を振って二液を充分に混合させる際にプランジャーの位置を容易に保持することができるのである。
【００２２】
また図５に示す状態からプランジャー３を押し込むことによって、混合液Ｚが図６の如くプランジャー３の溝穴3bに流入し、更にプランジャー３を押し込むことで、混合液Ｚが溝穴3bから排出用貫通穴3dを経由して先端の排出口3cへと押し出され、最終的には図７に示すようにプランジャー３の後端側に突設されている突き出し部3aを混合容器本体１の後端側の先細り部1c内まで押し込んでいくことによって二液混合容器内の混合液Ｚを無駄なく排出させることができるのである。
【００２３】
その際、例えば混合液Ｚが歯科用のプライマーであれば、プランジャー３の排出口3cに設けられた排出液体供給体４である綿球4aに歯科用のプライマーを排出させた状態で歯の所望の部位に直接塗布すれば、容易に塗布することがきるのである。
【００２４】
また排出液体供給体４の他の態様としては図８に示すような先端に排出孔4baが設けられたヘラ4bがあり、例えば混合液Ｚが歯科用のプライマーの場合には、先端の排出孔4baから適量を歯に排出させ、ヘラの部分をその歯に当てて歯科用のプライマーを広げるように塗布すれば、歯科用のプライマーを容易に塗布することができるのである。
【００２５】
排出液体供給体４の更に他の態様としては、図１０に示すようなプランジャー３内の排出用貫通穴3dにその一部が挿入されているパイプ4cがあり、例えば混合液Ｚが歯科用のプライマーの場合、図１０のような折れ曲がったパイプや図示していないが先の長いパイプを使用すれば、歯の舌側や奥歯にも容易に歯科用のプライマーを供給や塗布することができるのである。
【図面の簡単な説明】
【００２６】
【図１】本発明に係る二液混合容器の１実施例の縦断面説明図である。
【図２】図１における二液混合容器を片手で保持した状態を示す正面説明図である。
【図３】図１におけるプランジャーの側面説明図である。
【図４】図３におけるＡ−Ａ線断面説明図である。
【図５】図１における状態からプランジャーを押し込んで内容器の隔壁部を破断させ二液を充分に混合させた状態を示す縦断面説明図である。
【図６】図５における状態からプランジャーを更に押し込んで混合液を溝穴に流入させた状態を示す縦断面説明図である。
【図７】図６における状態からプランジャーの突き出し部が混合容器本体の先細り部内に移動するまで押し込んだ状態を示す縦断面説明図である。
【図８】プランジャーの他の態様を示す部分断面説明図である。
【図９】図８におけるプランジャーを装着した本発明に係る二液混合容器の他の実施例の縦断面説明図である。
【図１０】プランジャーの更に他の態様を示す縦断面説明図である。
【符号の説明】
【００２７】
１  混合容器本体
1a  フランジ部
1b  支持部
1c  先細り部
２  内容器
2a  隔壁部
2b  係止部
３  プランジャー
3a  突き出し部
3b  溝穴
3c  排出口
3d  排出用貫通穴
3e  指掛け部
3f  リング状の凸部
４  排出液体供給体
4a  綿球
4b  ヘラ
4ba  排出孔
4c  パイプ
Ｘ  第１液
Ｙ  第２液
Ｚ  混合液
【図１】
2005104534.tif 000003
【図２】
2005104534.tif 000004
【図３】
2005104534.tif 000005
【図４】
2005104534.tif 000006
【図５】
2005104534.tif 000007
【図６】
2005104534.tif 000008
【図７】
2005104534.tif 000009
【図８】
2005104534.tif 000010
【図９】
2005104534.tif 000011
【図１０】
2005104534.tif 000012